(57)【要約】【課題】  紙ロール付き筆記具の提供。【解決手段】  回転軸に固定された渦巻きバネにより紙ロールを外に押して渦巻きバネの周りに繞設された紙ロールの外層と円筒の内壁との当接を保持させ、そのうち円筒の内壁に突出する内紋を設けて紙ロールの最外層との間の摩擦力を低減する。この円筒は筆記具のケース内に取り付け、円筒とケースにそれぞれ第１開口と第２開口を設け、この第１開口と第２開口を対向させ、第１開口と第２開口の一側に内向き斜面を設け、第１開口の内向き斜面で紙ロールの最外層を押さえ、逆時計回りに回転軸を回すことにより紙ロールの外端を内向き斜面より第１開口と第２開口に押し出すか、或いは時計回りに回転軸を回すことにより押し出した紙ロールを円筒内に縮入できるようにした。【選択図】        図１
0003112380.tif 000002
【実用新案登録請求の範囲】
【請求項１】
帯状シート収容巻筒であって、該帯状シート収容巻筒は、
第１開口を具えた円筒と、
該円筒の中心に制限されて回転し、並びに該円筒より突出する突出端を具えた回転軸と、
巻かれたバネ片でありその内端が該回転軸に固定され該回転軸に伴い回転する渦巻きバネと、
帯状シートであって、該帯状シートの内端が該渦巻きバネに固定され、並びに該渦巻きバネに巻かれ、回転軸の回転に伴い回転し、並びに該帯状シートの巻状層の最外層が該渦巻きバネにより該円筒の内壁に圧接され、該回転軸の回転により該帯状シートの外端が該第１開口より押し出されるか該円筒内に巻き取られる、上記帯状シートと、
該円筒の下端に結合され、中心に円孔を具え、該円孔が該回転軸の下端を制限し位置決めする底蓋と、
を包含することを特徴とする、帯状シート収容巻筒。
【請求項２】
請求項１記載の帯状シート収容巻筒において、第１開口の一側が第１の内向き斜面とされ、該第１の内向き斜面が帯状シートの最外層に圧接し、該帯状シートの外端が該第１開口の第１の内向き斜面の案内により押し出されることを特徴とする、帯状シート収容巻筒。
【請求項３】
請求項１記載の帯状シート収容巻筒において、円筒の内壁に少なくとも１本の突出する内紋が設けられて円筒の内壁と帯状シートの巻状層の最外層との摩擦力を低減することを特徴とする、帯状シート収容巻筒。
【請求項４】
請求項１記載の帯状シート収容巻筒において、帯状シートがフレキシブルな軟性材とされたことを特徴とする、帯状シート収容巻筒。
【請求項５】
紙ロール付き筆記具において、該紙ロール付き筆記具は、
第１開口を具えた円筒と、
該円筒の中心に制限されて回転し、並びに該円筒より突出する突出端を具えた回転軸と、
巻かれたバネ片でありその内端が該回転軸に固定され該回転軸に伴い回転する渦巻きバネと、
帯状シートであって、該帯状シートの内端が該渦巻きバネに固定され、並びに該渦巻きバネに巻かれ、回転軸の回転に伴い回転し、並びに該帯状シートの巻状層の最外層が該渦巻きバネにより該円筒の内壁に圧接され、該回転軸の回転により該帯状シートの外端が該第１開口より押し出されるか該円筒内に巻き取られる、上記帯状シートと、
該円筒の下端に結合され、中心に円孔を具え、該円孔が該回転軸の下端を制限し位置決めする底蓋と、
筆記具であって、ケースを具え、該ケースが第２開口を具え、該円筒が該ケース内に取り付けられ、並びに第２開口が第１開口の外に位置し、帯状シートの外端が第１開口の第１の内向き斜面の案内により第２開口より押し出される、上記筆記具と、
を包含することを特徴とする、紙ロール付き筆記具。
【請求項６】
請求項５記載の紙ロール付き筆記具において、第２開口の一側が第２の内向き斜面とされ、回転軸の回転により、帯状シートの外端が第１開口の第１の内向き斜面と第２開口の第２の内向き斜面の案内により第２開口より押し出されることを特徴とする、紙ロール付き筆記具。
【請求項７】
請求項５記載の紙ロール付き筆記具において、円筒の内壁に少なくとも１本の突出する内紋が設けられて円筒の内壁と帯状シートの巻状層の最外層との摩擦力を低減することを特徴とする、紙ロール付き筆記具。
【請求項８】
請求項５記載の紙ロール付き筆記具において、帯状シートがフレキシブルな軟性材とされたことを特徴とする、紙ロール付き筆記具。
【請求項９】
請求項５記載の紙ロール付き筆記具において、帯状シートがシールとされたことを特徴とする、紙ロール付き筆記具。
【請求項１０】
請求項５記載の紙ロール付き筆記具において、帯状シートが樹脂シートとされたことを特徴とする、紙ロール付き筆記具。
【請求項１１】
請求項５記載の紙ロール付き筆記具において、帯状シートが紙とされたことを特徴とする、紙ロール付き筆記具。
【請求項１２】
請求項５記載の紙ロール付き筆記具において、回転キャップを更に具え、該回転キャップがケースの上端に取り付けられ、並びに回転軸と回転キャップが接続され、回転キャップの回転により回転軸が回転することを特徴とする、紙ロール付き筆記具。
【考案の詳細な説明】
【技術分野】
【０００１】
本考案は一種の筆記具に係り、特に内部に紙ロールを具えた一種の紙ロール付き筆記具に関する。
【背景技術】
【０００２】
日常生活中、帯状シート、例えば紙ロール、樹脂ロール、アルミ箔ロール及び布ロールがよく見られる。妥当に釈放して使用できるように、或いはフレキシブルな帯状シートを巻き取って収容できるように、多くの巻軸式収容装置が提供されている。
【０００３】
帯状シートを巻軸式収容装置よりに釈放使用、或いは巻軸式収容装置内に巻取り収容
する時、重要であることはその巻取方式が該装置中の巻状層の弛緩、停滞、絡み等の欠陥の発生を防止でき、正常に効率的にフレキシブルな帯状シートを釈放使用できるか、或いは巻取り収容できるものであることである。
【０００４】
一般にフレキシブルな紙を巻軸式収容装置に導入した後、その使用方法の構造設計は三種類の設計方式に帰結する。その一つ目は巻状層の中心軸の回転の押出力により紙を釈放し、二つ目は巻状層末端を引っ張る引っ張り力、三つ目は押出力と引っ張り力の混合運用である。どの方式を採用しても、巻状層の回転応力による自然な弛緩による停滞、絡み、或いは巻取り現象を克服するには、周知の技術では押出力の逆止め装置の採用か、或いは引っ張り力を施すときの巻状層末端を出口に保留する設計の採用が必要であり、いずれも巻状層の始端と末端を制限することに重点が置かれる。ただし、現段階で周知の巻軸式収容装置はフレキシブルな帯状シートの始端或いは末端の間の巻状層の弛緩現象に対しては有効な解決方法を提供しておらず、少数の例では粘着剤を紙の一面に塗布することで巻状層の弛緩現象を解決しているが、しかしそれは単一方向に釈放するしかできず、巻取り収容不能で、機能が完備されない。
【０００５】
このため、如何に上述の欠点を解決し、均一に帯状シートを収容できる巻軸式収容装置を提供して、巻軸式収容装置をコンパクトで実用的で、且つ帯状シートの随時釈放使用或いは巻取り収容が可能であるものとし、並びに帯状シートを正常且つ順調に釈放でき巻き取れる双方向回転機能を実行できるようにするかが、早急に解決を求められる課題である。
【考案の開示】
【考案が解決しようとする課題】
【０００６】
上述の従来の技術を鑑み、産業上の利用価値に符合させるため、本考案は従来の紙ロール付き筆記具の未達成の標的を解決できる紙ロール付き筆記具を提供するものである。
【０００７】
本考案の一つの目的は、渦巻きバネにより帯状シートの巻状層の外張を維持して帯状シートの外端が円筒の開口より押し出されるようにすることにある。
【０００８】
本考案の別の目的は、円筒とケースの開口にそれぞれ内向き斜面を設けて帯状シートを案内して帯状シートがケースの開口より押し出されるようにすることにある。
【０００９】
本考案の別の目的は、渦巻きバネで帯状シートを巻いて引っ張り、且つ渦巻きバネの内縮の弾性により円筒内部空間を逐次増加して巻いた帯状シートを収容できるようにすることにある。
【００１０】
本考案の更に別の目的は渦巻きバネを逆時計回りに回転させることで帯状シートを押し出すか、或いは時計回りに回転させて帯状シートを巻き取る双方向回転機能を達成することにある。
【課題を解決するための手段】
【００１１】
請求項１の考案は、帯状シート収容巻筒であって、該帯状シート収容巻筒は、
第１開口を具えた円筒と、
該円筒の中心に制限されて回転し、並びに該円筒より突出する突出端を具えた回転軸と、
巻かれたバネ片でありその内端が該回転軸に固定され該回転軸に伴い回転する渦巻きバネと、
帯状シートであって、該帯状シートの内端が該渦巻きバネに固定され、並びに該渦巻きバネに巻かれ、回転軸の回転に伴い回転し、並びに該帯状シートの巻状層の最外層が該渦巻きバネにより該円筒の内壁に圧接され、該回転軸の回転により該帯状シートの外端が該第１開口より押し出されるか該円筒内に巻き取られる、上記帯状シートと、
該円筒の下端に結合され、中心に円孔を具え、該円孔が該回転軸の下端を制限し位置決めする底蓋と、
を包含することを特徴とする、帯状シート収容巻筒としている。
請求項２の考案は、請求項１記載の帯状シート収容巻筒において、第１開口の一側が第１の内向き斜面とされ、該第１の内向き斜面が帯状シートの最外層に圧接し、該帯状シートの外端が該第１開口の第１の内向き斜面の案内により押し出されることを特徴とする、帯状シート収容巻筒としている。
請求項３の考案は、請求項１記載の帯状シート収容巻筒において、円筒の内壁に少なくとも１本の突出する内紋が設けられて円筒の内壁と帯状シートの巻状層の最外層との摩擦力を低減することを特徴とする、帯状シート収容巻筒としている。
請求項４の考案は、請求項１記載の帯状シート収容巻筒において、帯状シートがフレキシブルな軟性材とされたことを特徴とする、帯状シート収容巻筒としている。
請求項５の考案は、紙ロール付き筆記具において、該紙ロール付き筆記具は、
第１開口を具えた円筒と、
該円筒の中心に制限されて回転し、並びに該円筒より突出する突出端を具えた回転軸と、
巻かれたバネ片でありその内端が該回転軸に固定され該回転軸に伴い回転する渦巻きバネと、
帯状シートであって、該帯状シートの内端が該渦巻きバネに固定され、並びに該渦巻きバネに巻かれ、回転軸の回転に伴い回転し、並びに該帯状シートの巻状層の最外層が該渦巻きバネにより該円筒の内壁に圧接され、該回転軸の回転により該帯状シートの外端が該第１開口より押し出されるか該円筒内に巻き取られる、上記帯状シートと、
該円筒の下端に結合され、中心に円孔を具え、該円孔が該回転軸の下端を制限し位置決めする底蓋と、
筆記具であって、ケースを具え、該ケースが第２開口を具え、該円筒が該ケース内に取り付けられ、並びに第２開口が第１開口の外に位置し、帯状シートの外端が第１開口の第１の内向き斜面の案内により第２開口より押し出される、上記筆記具と、
を包含することを特徴とする、紙ロール付き筆記具としている。
請求項６の考案は、請求項５記載の紙ロール付き筆記具において、第２開口の一側が第２の内向き斜面とされ、回転軸の回転により、帯状シートの外端が第１開口の第１の内向き斜面と第２開口の第２の内向き斜面の案内により第２開口より押し出されることを特徴とする、紙ロール付き筆記具としている。
請求項７の考案は、請求項５記載の紙ロール付き筆記具において、円筒の内壁に少なくとも１本の突出する内紋が設けられて円筒の内壁と帯状シートの巻状層の最外層との摩擦力を低減することを特徴とする、紙ロール付き筆記具としている。
請求項８の考案は、請求項５記載の紙ロール付き筆記具において、帯状シートがフレキシブルな軟性材とされたことを特徴とする、紙ロール付き筆記具としている。
請求項９の考案は、請求項５記載の紙ロール付き筆記具において、帯状シートがシールとされたことを特徴とする、紙ロール付き筆記具としている。
請求項１０の考案は、請求項５記載の紙ロール付き筆記具において、帯状シートが樹脂シートとされたことを特徴とする、紙ロール付き筆記具としている。
請求項１１の考案は、請求項５記載の紙ロール付き筆記具において、帯状シートが紙とされたことを特徴とする、紙ロール付き筆記具としている。
請求項１２の考案は、請求項５記載の紙ロール付き筆記具において、回転キャップを更に具え、該回転キャップがケースの上端に取り付けられ、並びに回転軸と回転キャップが接続され、回転キャップの回転により回転軸が回転することを特徴とする、紙ロール付き筆記具としている。
【考案の効果】
【００１２】
本考案は周知の技術の欠点を解決する紙ロール付き筆記具を提供し、それは回転軸に固定された渦巻きバネにより紙ロールを外に押して渦巻きバネの周りに繞設された紙ロールの外層と円筒の内壁との当接を保持させ、そのうち円筒の内壁に突出する内紋を設けて紙ロールの最外層との間の摩擦力を低減する。この円筒は筆記具のケース内に取り付け、円筒とケースにそれぞれ第１開口と第２開口を設け、この第１開口と第２開口を対向させ、第１開口と第２開口の一側に内向き斜面を設け、第１開口の内向き斜面で紙ロールの最外層を押さえ、逆時計回りに回転軸を回すことにより紙ロールの外端を内向き斜面より第１開口と第２開口に押し出すか、或いは時計回りに回転軸を回すことにより押し出した紙ロールを円筒内に縮入できる。
【考案を実施するための最良の形態】
【００１３】
以下に具体的な実施例を図面を参照して提示するが、これは本考案の実施範囲を限定するものではなく、以下の実施例の説明及び図面の記載に基づきなしうる細部の修飾或いは改変は、いずれも本考案の請求範囲に属するものとする。
【００１４】
図１及び図２は本考案の具体的実施例の紙ロール付き筆記具の構造を示す。それは円筒１１０、回転軸１２０、渦巻きバネ１２４を包含する。円筒１１０は第１開口１１６を具え、並びに回転軸１２０は円筒１１０の中心に制限されて回転し、この回転軸１２０の一端は回転軸の突出端１２２とされ円筒１１０外に突出する。このほか、渦巻きバネ１２４は巻かれたバネ片とされ、その内端は回転軸１２０に固定され、これにより回転軸１２０が回転する時、渦巻きバネ１２４もまたそれに伴い回転し、帯状シートを緊密な巻状層を駆動する。このほか、円筒１１０の内壁に１本或いは複数本の内に突出する内紋１１４が設けられて円筒１１０の内壁と巻状層外層の間の摩擦力を低減する。このほか、上述の円筒１１０は筆記具内に配置され、この筆記具はケース１５０を具え、該ケース１５０は円筒１１０を取り付け並びに固定するのに用いられる。このほか、ケース１５０の上端に回転キャップ１６０が設けられ、この回転キャップ１６０と回転軸の突出端１２２が嵌合され、これにより時計回り或いは逆時計回りに回転キャップ１６０を回すことにより回転軸１２０を駆動できる。このほか、ケース１５０に第２開口１５２が設けられ、この第２開口１５２の一側は内向き斜面１５４とされ、この内向き斜面１５４は第１開口１１６の内向き斜面に向いて傾斜して単一斜面を構成する。本実施例は更に底蓋１１２を具え、該底蓋１１２は円筒１１０の下端に結合され、該底蓋１１２の中心に円孔が設けられ、該円孔は回転軸１２０の下端に制限され位置決めされる。
【００１５】
更に、本実施例は帯状シート１２６を包含し、図３及び図４に示されるように、この帯状シート１２６の内端１２８は渦巻きバネ１２４に固定され、この帯状シート１２６は渦巻きバネ１２４に巻かれ、回転軸１２０の回転に伴い回転し、即ち円筒１１０、帯状シート１２６、渦巻きバネ１２４、回転軸１２０により帯状シート収容巻筒が形成される。このほか、図５に示されるように、帯状シート１２６の巻状層の最外層は渦巻きバネ１２４により円筒１１０の内壁に圧接されて、緊密に層を成す巻状層を形成し、これにより回転軸１２０が逆時計回り或いは時計回りに回転する時、帯状シート１２６の外端が第１開口１１６より押し出されるか、或いは第１開口１１６より円筒内に巻き取られる。第１の内向き斜面１１８は第１開口１１６に向けて傾斜し、これにより第１の内向き斜面１１８が帯状シート１２６の巻状層の最外層に圧接し、並びに帯状シート１２６の外端が第１開口１１６まで押された後に第１の内向き斜面１１８に接触し、並びに第１の内向き斜面１１８の案内により第２開口１５２に至る。図６は本実施例の製品を示し、それは紙ロール付き筆記具１００であり、そのうち帯状シートは紙、シール、樹脂シート等、フレキシブルな軟性材とされうる。使用者が時計回り或いは逆時計回り、即ち図中のＡ１とＡ２の方向に紙ロール付き筆記具１００の上方の回転キャップ１６０を回すと、帯状シート１２６がそれに伴いＢ１或いはＢ２の方向に押し出されるか或いは巻き取られる。
【図面の簡単な説明】
【００１６】
【図１】本考案の実施例の構造表示図である。
【図２】本考案の実施例の構造表示図である。
【図３】本考案の実施例の渦巻きバネと帯状シートの組合せ表示図である。
【図４】本考案の実施例の断面図である。
【図５】本考案の実施例の断面図である。
【図６】本考案の実施例の製品表示図である。
【符号の説明】
【００１７】
１００  紙ロール付き筆記具
１１０  円筒
１１２  底蓋
１１４  内紋
１１６  第１開口
１１８  内向き斜面
１２０  回転軸
１２２  回転軸の突出端
１２４  渦巻きバネ
１２６  帯状シート
１２８  内端
１５０  ケース
１５２  第２開口
１５４  内向き斜面
１６０  回転キャップ
【図１】
0003112380.tif 000003
【図２】
0003112380.tif 000004
【図３】
0003112380.tif 000005
【図４】
0003112380.tif 000006
【図５】
0003112380.tif 000007
【図６】
0003112380.tif 000008